【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
その上でニット構成要素が編まれる編床と駆動ボルトとを有する編み機に使用されるフィーダーであって、
前記編床の方へストランドを供給するように構成された給糸区域を備えたフィーダーアームと、
前記フィーダーアームに操作可能に結合されている作動アームであって、前記作動アームが、前記駆動ボルトに当接して、前記編床に対して前記フィーダーアームを選択的に移動させるように構成されている当接面を含み、前記当接面が丸みの付いた凸状になっている作動アームと、
を備えるフィーダー。
【請求項２】
前記当接面は、２次元的に湾曲して凸状になっている、請求項１に記載のフィーダー。
【請求項３】
前記当接面が研磨されている、請求項１または２に記載のフィーダー。
【請求項４】
前記当接面は、潤滑剤で処理されている、請求項１または２に記載のフィーダー。
【請求項５】
前記作動アームは、ベースと、前記ベース上に移動可能に支持されているベアリングとを含み、前記ベアリングが前記当接面を画成している、請求項１〜４のいずれか一項に記載のフィーダー。
【請求項６】
前記作動アームは、第１の当接面を有する第１の端部と、第２の当接面を有する第２の端部とを含み、前記第１の当接面は、前記駆動ボルトに当接して、第１の方向において、前記編床に対して前記フィーダーアームを選択的に動かすように構成されており、前記第２の当接面は、前記駆動ボルトに当接して、第２の方向において、前記編床に対して前記フィーダーアームを選択的に動かすように構成されており、前記第１の当接面および前記第２の当接面の少なくとも一方は、丸みの付いた凸状になっている、請求項１〜５のいずれか一項に記載のフィーダー。
【請求項７】
延伸位置と後退位置との間での前記キャリアに対する動きのために、前記フィーダーアームを移動可能に支持するキャリアをさらに備え、前記給糸区域は、前記延伸位置において、前記後退位置と比較して、より前記編床に近づいており、前記当接面は、前記駆動ボルトに当接して、前記延伸位置と前記後退位置との間で、前記フィーダーアームを選択的に動かすように構成されている、請求項１〜６のいずれか一項に記載のフィーダー。
【請求項８】
レールの長手方向軸に沿った動きのために、前記レール上で前記フィーダーアームを移動可能に支持するように構成された取付要素をさらに備え、前記当接面は、前記駆動ボルトに当接して、前記レールの前記長手方向軸に沿って前記フィーダーアームを選択的に動かすように構成されている、請求項１〜７のいずれか一項に記載のフィーダー。
【請求項９】
ニット構成要素を形成するための編み機であって、
複数の針を備えた編床と、
前記編床に対する動きのために取り付けられている駆動ボルトと、
前記編床の方へストランドを供給するフィーダーであって、
前記編床の方へストランドを供給するように構成された給糸区域を備えたフィーダーアームと、
前記フィーダーアームに操作可能に結合されている作動アームであって、前記作動アームは、前記駆動ボルトに当接して、前記編床に対して前記フィーダーアームを選択的に動かすように構成されている当接面を含み、前記当接面は、丸みの付いた凸状になっている作動アームと、
を含むフィーダーと、
を備える編み機。
【請求項１０】
前記編床に対して横方向における動きのために取り付けられているキャリッジをさらに備え、前記駆動ボルトは、延伸位置と後退位置との間での前記キャリッジに対する横方向の動きのために、前記キャリッジに移動可能に取り付けられ、前記駆動ボルトは、前記延伸位置にある場合に、前記当接面に当接する、請求項９に記載の編み機。
【請求項１１】
前記当接面は、２次元的に湾曲して凸状になっている、請求項９または１０に記載の編み機。
【請求項１２】
前記当接面が研磨されている、請求項９〜１１のいずれか一項に記載の編み機。
【請求項１３】
前記当接面は、潤滑剤で処理されている、請求項９〜１１のいずれか一項に記載の編み機。
【請求項１４】
前記作動アームは、ベースと、前記ベース上に移動可能に支持されているベアリングとを含み、前記ベアリングが前記当接面を画成している、請求項９〜１３のいずれか一項に記載の編み機。
【請求項１５】
前記作動アームは、第１の当接面を有する第１の端部と、第２の当接面を有する第２の端部とを含み、前記第１の当接面は、前記駆動ボルトに当接して、第１の方向において、前記編床に対して前記フィーダーアームを選択的に動かすように構成されており、前記第２の当接面は、前記駆動ボルトに当接して、第２の方向において、前記編床に対して前記フィーダーアームを選択的に動かすように構成されており、前記第１の当接面および前記第２の当接面の少なくとも一方は、丸みの付いた凸状になっている、請求項９〜１４のいずれか一項に記載の編み機。
【請求項１６】
延伸位置と後退位置との間での前記キャリアに対する動きのために、前記フィーダーアームを移動可能に支持するキャリアをさらに含み、前記給糸区域は、前記延伸位置において、前記後退位置と比較して、より前記編床に近づいており、前記当接面は、前記駆動ボルトに当接して、前記延伸位置と前記後退位置との間で、前記フィーダーアームを選択的に動かすように構成されている、請求項９〜１５のいずれか一項に記載の編み機。
【請求項１７】
長手方向軸を有するレールをさらに備え、前記フィーダーは、前記レールの前記長手方向軸に沿った動きのために、前記レール上で前記フィーダーアームを移動可能に支持する取付要素をさらに含み、前記当接面は、前記駆動ボルトに当接して、前記レールの前記長手方向軸に沿って前記フィーダーアームを選択的に動かすように構成されている、請求項９〜１６のいずれか一項に記載の編み機。
【請求項１８】
ニット構成要素を形成するための編み機であって、
複数の針を備えた編床と、
直線状の長手方向軸を有するレールであって、横方向において、前記編床から離間されているレールと、
前記長手方向軸に沿った動きのために取り付けられているキャリッジと、
延伸位置と後退位置との間での前記キャリッジに対する前記横方向の動きのために、前記キャリッジに移動可能に取り付けられている駆動ボルトと、
前記編床の方へストランドを供給するフィーダーであって、
前記編床の方へ前記ストランドを供給するように構成された給糸区域を備えたフィーダーアームと、
前記レールの前記長手方向軸に沿った動きのために、前記レール上で前記フィーダーアームを移動可能に支持する取付要素と、
前記フィーダーアームに操作可能に結合されている作動アームであって、前記作動アームが、第１の当接面および第２の当接面を含み、前記第１の当接面は、前記駆動ボルトが前記延伸位置にある場合に、前記駆動ボルトに当接して、前記レールの前記長手方向軸に沿った第１の方向の動きのために、前記フィーダーアームを前記キャリッジに結合し、前記第２の当接面は、前記駆動ボルトが前記延伸位置にある場合に、前記駆動ボルトに当接して、前記レールの前記長手方向軸に沿った第２の方向の動きのために、前記フィーダーアームを前記キャリッジに結合し、前記第１および第２の当接面の少なくとも一方は、丸みの付いた凸状になっている作動アームと、
を含むフィーダーと、
を備える編み機。
【請求項１９】
前記第１および第２の当接面の少なくとも一方は研磨されている、請求項１８に記載の編み機。
【請求項２０】
前記第１および第２の当接面の少なくとも一方は、潤滑剤で処理されている、請求項１８に記載の編み機。
【請求項２１】
前記作動アームは、ベースと、前記ベース上に移動可能に支持されているベアリングとを含み、前記ベアリングが、前記第１および第２の当接面の少なくとも一方を画成している、請求項１８〜２０のいずれか一項に記載の編み機。
【手続補正２】
【補正対象書類名】明細書
【補正対象項目名】００１４
【補正方法】変更
【補正の内容】
【００１４】
ソール構造１１０は、アッパー１２０に固定されていて、履物１００を履いたときに足と地面との間に延びる。ソール構造１１０の主要な要素は、ミッドソール１１１、アウトソール１１２および中敷き１１３である。ミッドソール１１１は、アッパー１２０の下面に固定されて、歩いているとき、走っているとき、または他の歩行活動中に、足と地面との間で圧縮された場合に、地面の反力を弱める（つまり、クッション材となる）圧縮可能なポリマー発泡体要素（例えば、ポリウレタンまたはエチルビニルアセテート発泡体）から形成してもよい。さらなる構成では、ミッドソール１１１は、さらに力を弱め、安定性を高め、または、足の動きに影響を与えるプレート、モデレータ、液体充填チャンバ、ラスティング要素、もしくはモーションコントロール部材を組み込んでもよく、または、ミッドソール１１１は、主に液体充填チャンバから形成してもよい。アウトソール１１２は、ミッドソール１１１の下面に固定されており、牽引力を付与するように織られた耐摩耗性のゴム材料から形成してもよい。中敷き１１３は、アッパー１２０内に配置されており、足の下面の下に延びて、履物１００の快適性を高めるように配置されている。ソール構造１１０のこの構成は、アッパー１２０と接続して使用してもよいソール構造の一実施例を提供しているが、ソール構造１１０のさまざまな他の従来の構成または従来にない構成も利用してもよい。したがって、ソール構造１１０またはアッパー１２０とともに利用されるソール構造の特徴は大幅に変わってもよい。
【手続補正３】
【補正対象書類名】明細書
【補正対象項目名】００５５
【補正方法】変更
【補正の内容】
【００５５】
アーム２５１は、キャリア２３０の外側で、キャリア２３０の上側に設けることができ、また、プレート２５２は、キャリア２３０の内部に設けることができる。アーム２５１は、両内側端部２５４の間にスペース２５５を画成するように配置されている。すなわち、両アーム２５１は、互いに長手方向に離間されている。また、図１１に示すように、アーム２５１は、一方のアーム２５１が、第１のカバー部材２３１に近づけて配置され、および他方のアーム２５１が、第２のカバー部材２３２に近づけて配置されるように、横方向に離間させることができる。
【手続補正４】
【補正対象書類名】明細書
【補正対象項目名】００９７
【補正方法】変更
【補正の内容】
【００９７】
例えば、降下アセンブリ３００は、図３７および図３８に模式的に図示されているように、複数のローラ３０３，３０４，３０５，３０６，３０７，３０８，３０９，３１０，３１１，３１２，３１３，３１４を含むことができる。ローラ３０３〜ローラ３１４は、円筒形にすることができ、およびその外周面にゴムまたは他の材料を含むことができる。また、ローラ３０３〜ローラ３１４は、把持性を高めるために、その外周面にテクスチャリング（例えば、隆起面）を含むことができ、または、ローラ３１３，３１４は、実質的に滑らかにすることができる。ローラ３０３〜ローラ３１４は、任意の適当な半径（例えば、約０．２５インチ〜２インチ）を有することができ、および任意の適当な長手方向の長さ（例えば、約０．５インチ〜５インチ）を有することができる。説明されるように、ローラ３０３〜ローラ３１４は、それぞれの回転軸周りに回転することができ、およびニット構成要素３６０に接触して把持することができる。ニット構成要素３６０は、ローラ３０３〜ローラ３１４が回転する際に、針床２０１によって保持されるため、ローラ３０３〜ローラ３１４の回転が、ニット構成要素３６０を引っ張って張力を印加することができる。
【手続補正５】
【補正対象書類名】明細書
【補正対象項目名】０１１５
【補正方法】変更
【補正の内容】
【０１１５】
次に、ニット構成要素２２６０の部分２３２０が所定の長さに達すると（すなわち、ヤーン２２１１の十分なコースが部分２３２０に追加されている）、ローラ２３０７，２３０４は、回転を中断することができる。図３４に図示されているように、ニット構成要素２２６０の別の部分２３２２を形成し始めることができる。